【手続補正書】
【提出日】平成17年8月11日(2005.8.11)
【手続補正１】
【補正対象書類名】明細書
【補正対象項目名】請求項１
【補正方法】変更
【補正の内容】
【請求項１】  茶樹畝を跨ぐ門型フレームで構成される車体本体と、前記車体本体に連結され畝間を走行するクローラ型の走行装置と、前記車体本体に対し上下動可能に配設され、摘採された茶葉を収容する収容手段を搭載する荷台と、上記荷台の側端部に連なって上記門型フレームの脚部に沿って昇降移動する昇降体とを備えた簡易乗用型茶葉摘採機において、
上記荷台に対して支持板を介して、防除作業を行うための動力噴霧装置のポンプ駆動用エンジンが取り付けられると共に、上記昇降部材に、上記ポンプ用エンジンから圧送される薬液を茶樹畝に向かって噴霧する薬液噴霧ノズル手段が取り付けられることを特徴とする簡易乗用型茶葉摘採機。
【手続補正２】
【補正対象書類名】明細書
【補正対象項目名】請求項２
【補正方法】変更
【補正の内容】
【請求項２】  請求項１記載の簡易乗用型茶葉摘採機において、
上記車体本体の後部には、上記動力噴霧装置に薬液を供給する薬液タンクを搭載可能とする空間が形成されていることを特徴とする簡易乗用型茶葉摘採機。
【手続補正３】
【補正対象書類名】明細書
【補正対象項目名】０００７
【補正方法】変更
【補正の内容】
【０００７】
【課題を解決するための手段】
この目的を達成するため、請求項１記載の発明は、茶樹畝を跨ぐ門型フレームで構成される車体本体と、前記車体本体に連結され畝間を走行するクローラ型の走行装置と、前記車体本体に対し上下動可能に配設され、摘採された茶葉を収容する収容手段を搭載する荷台と、上記荷台の側端部に連なって上記門型フレームの脚部に沿って昇降移動する昇降体とを備えた簡易乗用型茶葉摘採機において、
上記荷台に対して支持板を介して、防除作業を行うための動力噴霧装置のポンプ駆動用エンジンが取り付けられると共に、上記昇降部材に、上記ポンプ用エンジンから圧送される薬液を茶樹畝に向かって噴霧する薬液噴霧ノズル手段が取り付けられることを特徴とする。
【手続補正４】
【補正対象書類名】明細書
【補正対象項目名】０００８
【補正方法】変更
【補正の内容】
【０００８】
請求項２記載の発明は、請求項１記載の簡易乗用型茶葉摘採機において、上記車体本体の後部には、上記動力噴霧装置に薬液を供給する薬液タンクを搭載可能とする空間が形成されていることを特徴とする。
【手続補正５】
【補正対象書類名】明細書
【補正対象項目名】００１０
【補正方法】変更
【補正の内容】
【００１０】
【作用】
請求項１乃至３記載の発明では、昇降体に対して茶樹畝を跨ぐように延設された薬液噴霧ノズル手段が取り付けられる。また、支持板を介して荷台に動力噴霧装置のポンプ駆動用エンジンが取り付けられる。これにより、車体本体に薬液タンクを搭載してタンク内の薬液を動力噴霧装置の薬液噴霧ノズル手段への配管を施せば、摘採機の構成をそのまま防除機として転用することができる。しかも、薬液噴霧ノズル手段は昇降体に取り付けられるので、茶樹畝における茶樹の高さの違いに関係なく薬液散布に必要なノズル高さ位置を人手を介することなく調整することができる。さらに、薬液噴霧ノズル手段は、車体本体が跨いで走行する茶樹畝だけでなく、車体本体の側方に対して起倒可能な隣接茶樹用ノズル手段を備えているので、複数の茶樹畝への薬液散布が行えることで防除作業の効率を向上させると共に、転回時等には隣接茶樹畝用ノズル手段が邪魔にならないように起こして機動性を良好にすることができる。
【手続補正６】
【補正対象書類名】明細書
【補正対象項目名】００１３
【補正方法】変更
【補正の内容】
【００１３】
上記走行装置３は、後端に配設された駆動輪３１と先端に配設された従動輪３２との間にゴムクローラ３３が巻装されている。また、駆動輪３１と従動輪３２とは補強フレーム３４に軸支されており、該補強フレーム３４には複数の転輪３５が枢支されていると共に、前記門型フレーム２１，２２及び昇降フレーム２３の基端部が固着されていて、車体本体２の荷重を走行装置３の全体で受けるように構成されている。本実施例では駆動輪３１が、それぞれ油圧モータ６２によって駆動されるようになっている。油圧モータ６２に対する油圧制御回路には、走行装置３の駆動源として用いられるエンジン６３を駆動源とするオイルポンプ６４からのオイルを各油圧モータ６２に対して給排制御する方向切り換え弁（図示せず）および油圧モータ６２の正転、逆転および停止制御のための回転用方向切り換え弁（図示せず）が主要部として備えられている。なお、走行装置３としては、上述したゴムクローラ３３を用いた構成に代えて、タイヤやキャタピラなどを用いた構成とすることも可能である。
【手続補正７】
【補正対象書類名】明細書
【補正対象項目名】００１４
【補正方法】変更
【補正の内容】
【００１４】
上記摘採装置４は、支持フレーム４１，４１の両側端部に対をなす側板４２，４２を設け、この側板４２，４２間の下部前側に、円孤状のバリカン刃からなる刈刃４３が往復動するように支持されている。また該摘採装置４の左右両端には、エンジン４４，４５が配設されており、該エンジン４４，４５には送風管４６が連通されている。そしてエンジン４４は前記刈刃４３を往復動させると同時に送風管４６に空気を送り込み、エンジン４５は送風管４６に空気を送込む専用のものである。この送風管４６には、複数のノズル４６ａが設けられており、刈刃４３の上方から、刈刃４３の後方に向け圧力風を吹き付け、刈刃４３により摘採された茶葉を後方に吹き飛ばすように，所定間隔に配設されている。また摘採装置４の後部開口部の底面として案内板４９が着脱自在に連結されている。
【手続補正８】
【補正対象書類名】明細書
【補正対象項目名】００１５
【補正方法】変更
【補正の内容】
【００１５】
上記摘採装置４には昇降体４７が設けられており、該昇降体４７はローラ４７ａを介して前記昇降フレーム２３に嵌合している。そして昇降フレーム２３の頂部に設けられた昇降モータ４８の回転に伴い、昇降体４７が上下動し、摘採装置４の摘採位置を決定することができる。
昇降モータ４８は、連結フレーム６０の上部に配置されており、昇降モータ４８からの駆動力は、昇降体４７に設けられているボールネジ（図示せず）に噛み合うように昇降フレーム２３内に立設されているねじ棒（図示せず）に対して昇降モータ４８に連結されている減速機構６１を介して伝達されるようになっている。このため、昇降モータ４８からの回転力を昇降体４７に伝達するための部材が操縦席２５の後方で横架されるようになっていないので、その部分の空間（図１中符号Ｓで示す範囲の空間）が開放された状態で形成されている。
【手続補正９】
【補正対象書類名】明細書
【補正対象項目名】００１６
【補正方法】変更
【補正の内容】
【００１６】
上記荷台５は、その一部が操縦席２５の後方に位置し、且つ摘採装置４の後部に配置されている案内板４９と、この案内板４９に対してヒンジ結合されることで起倒可能かつ着脱可能な袋受け部５０とで構成されており、いずれも、所要幅（茶袋の幅程度），また所要長さを持たせて形成されている。袋受け部５０には、伸縮自在のシリンダ５５が連結されており、シリンダ５５が伸長している時には、案内板４９に連続して略水平状態に展開されて茶袋を搭載可能にしており、シリンダ５５が収縮している時には、ヒンジ結合部を支点に折れ曲がり、略垂直状態に収納されるようになる。さらに車体本体２の後方に位置する門型フレーム２２には案内板４９と一体化された昇降体５６が設けられており、昇降体５６は、ローラ５６ａを介して門型フレーム２２に昇降自在に嵌合している。そのため、前記摘採装置４が昇降するに伴い、袋受け部５０も案内板４９と共に昇降するようになる。
【手続補正１０】
【補正対象書類名】明細書
【補正対象項目名】００１７
【補正方法】変更
【補正の内容】
【００１７】
このような構成の簡易乗用型茶葉摘採機１は、シリンダ５５を伸長させ、袋受け部５０を案内板４９と連続して略水平状態に展開し、袋受け部５０に茶袋（図示せず）を搭載する。そして作業者が簡易乗用型茶葉摘採機１に乗り込んで操縦席２５に着席し、操縦部２６を操作して、適宜な茶畝を跨いで簡易乗用型茶葉摘採機１を茶園に乗り入れる。
次に操縦部２６を操作し、昇降モータ４８を駆動して摘採装置４及び荷台５の案内板４９および袋受け部５０を上下動して摘採位置を決定し、エンジン４４，４５を始動させて摘採装置４を稼働し、油圧モータ６２を駆動して走行装置３を走行させて摘採作業を行う。
ここで摘採装置４により摘採された茶葉は、摘採装置４に設けられた送風管４６のノズル４６ａからの圧送空気により後方に圧送され、荷台５上に設けられた茶袋に収容されるようになる。ここで、荷台５は案内板４９に加えて袋受け部５０が延設されることにより長くされているので、大型の茶袋を搭載することができ、１列の茶畝において茶袋を交換することなく、摘採作業を行うことができる。
そして茶畝を旋回移動する際に、特に旋回スペースが狭い場合には、シリンダ５５を収縮させて荷台５を略垂直状態に折り畳んで次の茶畝に移動する。
【手続補正１１】
【補正対象書類名】明細書
【補正対象項目名】００１９
【補正方法】変更
【補正の内容】
【００１９】
支持桿７１は、図４に示すように、昇降体のうちの後方に位置する昇降体５６の後部面に一体化されている支持部材７４に対して着脱可能に設けられるようになっている。つまり、支持部材７４は、昇降体５６の後部面に締結あるいは溶接などによって一体化されておりその中央部には取付ネジ孔７４Ａが形成されている。
図４において支持桿７１には、長手方向両端に支持パイプ７１Ａが一体化されており、その支持パイプ７１Ａには、支持部材７４に締結される取付ブラケット７５に固定されている取付棒７６が挿通できるようになっている。
取付棒７６は、その径方向に向かった係止孔７６Ａが軸の長手方向に沿って複数形成されており、支持パイプ７１Ａに形成されている孔（図示せず）との位置を整合した上で係止部材７７を挿通することにより抜け止めされる。上記取付ブラケット７５の上端には、支持部材７４の上端に係合させることができる鈎部７５Ａが形成されており、この鈎部７５Ａを支持部材７４の上端に掛け止めすることで脱落が防止されている。
【手続補正１２】
【補正対象書類名】明細書
【補正対象項目名】００２０
【補正方法】変更
【補正の内容】
【００２０】
図３において薬液噴霧用ノズル手段７３は、支持部材７４を介して昇降体５６に対して着脱可能に設けられており、車体本体２が跨いで走行する茶樹畝を対象として薬液を散布可能なノズル手段７３Ａと、このノズル手段７３Ａが散布対象とする茶樹畝と隣り合う茶樹畝を対象として薬液を散布する隣接茶樹畝用ノズル手段７３Ｂとを備えている。
隣接茶樹畝用ノズル手段７３Ｂは、図４に示すように、支持桿７１の長手方向両端の何れかにて枢軸７８Ａにより基端が枢支されて起倒可能に支持された保持部材７８に取り付けられており、上記保持部材７８の基端は、支持桿７１に取り付けられているシリンダ７９に連結されている。
【手続補正１３】
【補正対象書類名】明細書
【補正対象項目名】００２２
【補正方法】変更
【補正の内容】
【００２２】
本実施例は以上のような構成であるから、摘採作業ではなく、防除作業を行う場合には、荷台５の一部材である袋受け部５０を案内板４９から取り外し、動力噴霧装置７０を設置する。
動力噴霧装置７０は、予め、ノズル手段７３Ａおよび隣接茶樹畝用ノズル手段７３Ｂが支持桿７１に設けられており、隣接茶樹畝用ノズル手段７３Ｂは保持部材７８が枢軸７８Ａによって枢支されることで起倒可能に設けられている。
昇降体５６に有する支持部材７４に対して取付ブラケット７５を締結し、取付ブラケット７５に有する取付棒７６を支持桿７１の支持パイプ７１Ａに挿通することで支持桿７１に有する薬液噴霧ノズル手段７３が車体本体２側に設置される。支持桿７１の設置時には、シリンダ７９が収縮した状態が維持され、隣接茶樹畝用薬液ノズル手段７３Ｂが起こされている。
【手続補正１４】
【補正対象書類名】明細書
【補正対象項目名】００２３
【補正方法】変更
【補正の内容】
【００２３】
案内板４９の後端縁には支持板７２Ａが取り付けられてポンプ駆動用ポンプ７２が設置され、さらに、車体本体２の操縦席後方の空間部（図１中符号Ｓで示す空間）に対し図示しないクレーンを用いて薬液タンク８０が搭載されると、薬液タンク８０とポンプ７２Ｂとの間およびポンプ７２Ｂとノズル手段７３Ａおよび隣接茶樹畝用ノズル手段７３Ｂとの間に配管８１、８３が設けられて接続される。
【手続補正１５】
【補正対象書類名】明細書
【補正対象項目名】００２４
【補正方法】変更
【補正の内容】
【００２４】
防除作業を開始する際には、摘採作業と同じように適宜な茶畝を跨いで簡易乗用型茶葉摘採機１を茶園に乗り入れる。
薬液散布を行う際に車体本体２が跨いでいる茶樹畝に隣接する茶樹畝がある場合には、操縦部２６での操作によってシリンダ７９を伸長させて隣接茶樹畝用ノズル手段７３Ｂを倒す。
隣接茶樹畝用ノズル手段７３Ｂの態位が決められると、茶樹の高さに合わせて薬液噴霧ノズル手段７３の位置が調整される。つまり、この場合には、摘採作業時と同様に昇降駆動モータ４８が駆動され、これに連動して昇降体４７、５６が昇降して茶樹の高さに応じた位置に位置決めされる。この結果、薬液噴霧ノズル手段７３は、人手を介さなくても茶樹の高さに関係なく、最も効率よく薬液散布が行える位置に位置決めされることになる。
薬液噴霧ノズル手段７３の高さ方向の位置決めが終了すると、ポンプ駆動エンジン７２からポンプ７２Ｂへの駆動力の伝達を開始する。この場合には、エンジン７２とポンプ７２Ｂとの間に配置されているクラッチを繋ぐ。
この結果、薬液タンク８０からの薬液がポンプ７２Ｂを介した配管８１、８３を通って薬液噴霧ノズル手段７３のノズル手段７３Ａおよび隣接茶樹畝用ノズル手段７３Ｂから散布される。
【手続補正１６】
【補正対象書類名】明細書
【補正対象項目名】００２５
【補正方法】変更
【補正の内容】
【００２５】
一方、車体本体２の転回時や隣接する茶樹畝がない場合には、隣接茶樹畝用ノズル手段７３Ｂが起こされる。この場合には、シリンダ７９を収縮させ、保持部材７８（図４参照）が引き起こされる。また、この場合には、コック８２の操作によって隣接茶樹畝用ノズル手段７３Ｂへの薬液の供給が遮断される。
【手続補正１７】
【補正対象書類名】明細書
【補正対象項目名】００２７
【補正方法】変更
【補正の内容】
【００２７】
【発明の効果】
以上説明したように、請求項１乃至３記載の発明によれば、昇降体に動力噴霧装置に含まれる薬液噴霧ノズル手段が取り付けられる。また、支持板を介して荷台に動力噴霧装置のポンプ駆動用エンジンが取り付けられる。これにより、車体本体に薬液タンクを搭載して動力噴霧装置の薬液噴霧ノズル手段への配管を施せば、摘採機の構成をそのまま防除機として転用することができる。しかも、薬液噴霧ノズル手段が取り付けられる支持部材は昇降体に一体化しているので、茶樹畝における茶樹の高さの違いに関係なく薬液散布に必要なノズル位置を人手を介することなく調整することができる。さらに、薬液噴霧ノズル手段は、車体本体が跨いで走行する茶樹畝だけでなく、車体本体の側方に対して起倒可能な隣接茶樹用ノズル手段を備えているので、複数の茶樹畝への薬液散布が行えることで防除作業の効率を向上させると共に、転回時等には隣接茶樹畝用ノズル手段が邪魔にならないように起こして機動性を良好にすることができる。これにより、防除機を準備することなく、摘採機の構成をそのまま用いて摘採とは異なる機能を発揮させることができるので、摘採作業以外の作業のための機械や設備を改めて準備する必要がなくなることによって経費節減が可能となるばかりでなく、簡便な操作で多機能化を実現することが可能になる。
【手続補正１８】
【補正対象書類名】図面
【補正対象項目名】図１
【補正方法】変更
【補正の内容】
【図１】
2000060268.tif 000001
【手続補正１９】
【補正対象書類名】図面
【補正対象項目名】図２
【補正方法】変更
【補正の内容】
【図２】
2000060268.tif 000002
【手続補正２０】
【補正対象書類名】図面
【補正対象項目名】図４
【補正方法】変更
【補正の内容】
【図４】
2000060268.tif 000003